(57)【特許請求の範囲】
【請求項１】
針状端子部を有する端子金具と、前記端子金具を保持するインナハウジングと、前記インナハウジングを収容するアウタハウジングと、を備えたジョイントコネクタにおいて、
前記インナハウジングが、前記針状端子部の基端側を保持する第一インナハウジングと、前記針状端子部が貫通するとともにこれを保持し、前記第一インナハウジングに並設される第二インナハウジングと、を備え、
前記第二インナハウジングが、前記アウタハウジング内に収容される際の適正挿入方向とは逆方向からも挿入可能な外形を有しており、
前記第二インナハウジングには、当該第二インナハウジングが前記アウタハウジング内に収容される際の適正挿入方向に対して後方側に、誤挿入防止突起が設けられ、かつ、
前記アウタハウジングには、前記第二インナハウジングが当該アウタハウジング内に適正挿入されて収容された位置で、前記誤挿入防止突起に係止する係止部、及び、前記インナハウジングの先端部に連通する開口部が設けられていることを特徴とするジョイントコネクタ。
【請求項２】
前記第二インナハウジングが、前記アウタハウジング内に収容される際の挿入方向に平行する当該第二インナハウジングの中心点に対して、点対称形状に形成されていることを特徴とする請求項１に記載のジョイントコネクタ。
【発明の詳細な説明】
【技術分野】
【０００１】
本発明は、ジョイントコネクタに関する。
【背景技術】
【０００２】
自動車等には、種々の電子機器と電装品とが搭載されている。電子機器や電装品には、バッテリなどの電源等からの電力や制御装置からの制御信号などを伝えるワイヤハーネスが電気的に接続されている。ワイヤハーネスは、複数のサブハーネスが電気的に接続されており、サブハーネスには回路の分岐などを行うジョイントコネクタが設けられている。
【０００３】
ジョイントコネクタは、一般に、回路を短絡させる端子金具と、前記端子金具を収容するアウタハウジングと、前記端子金具を前記アウタハウジング内に固定するインナハウジングと、を備えている（例えば、特許文献１など参照。）。
【０００４】
特許文献１などに示されたジョイントコネクタは、インナハウジングに設けられた誤挿入防止リブと、アウタハウジングに設けられ且つ前記誤挿入防止リブが挿通する挿通溝と、を備えており、前記インナハウジングの誤挿入を防止している。
【先行技術文献】
【特許文献】
【０００５】
【特許文献１】特開２００６−１２５０１号公報
【発明の概要】
【発明が解決しようとする課題】
【０００６】
しかしながら、前述した特許文献１などに示された従来のジョイントコネクタは、インナハウジングの前後が反対であっても、当該インナハウジングの誤挿入防止リブがアウタハウジングの挿通溝に挿通されるため、誤挿入されてしまうという問題があった。
【０００７】
本発明は、かかる問題を解決することを目的としている。即ち、本発明は、インナハウジングがアウタハウジングに誤挿入されることを確実に防止するジョイントコネクタを提供することを目的とする。
【課題を解決するための手段】
【０００８】
前記課題を解決し目的を達成するために、請求項１に記載された発明は、針状端子部を有する端子金具と、前記端子金具を保持するインナハウジングと、前記インナハウジングを収容するアウタハウジングと、を備えたジョイントコネクタにおいて、
前記インナハウジングが、前記針状端子部の基端側を保持する第一インナハウジングと、前記針状端子部が貫通するとともにこれを保持し、前記第一インナハウジングに並設される第二インナハウジングと、を備え、
前記第二インナハウジングが、前記アウタハウジング内に収容される際の適正挿入方向とは逆方向からも挿入可能な外形を有しており、
前記第二インナハウジングには、当該第二インナハウジングが前記アウタハウジング内に収容される際の適正挿入方向に対して後方側に、誤挿入防止突起が設けられ、かつ、
前記アウタハウジングには、前記第二インナハウジングが当該アウタハウジング内に適正挿入されて収容された位置で、前記誤挿入防止突起に係止する係止部、及び、前記インナハウジングの先端部に連通する開口部が設けられていることを特徴とするジョイントコネクタである。
【００１０】
請求項２に記載された発明は、前記第二インナハウジングが、前記アウタハウジング内に収容される際の挿入方向に平行する当該第二インナハウジングの中心点に対して、点対称形状に形成されていることを特徴とする請求項１に記載のジョイントコネクタである。
【発明の効果】
【００１１】
請求項１に記載された発明によれば、ジョイントコネクタは、アウタハウジングの係止部に係止される誤挿入防止突起を第二インナハウジングの後方側に設けたため、第二インナハウジングの前後が反対となった場合に、前記第二インナハウジングを適正挿入した際の位置よりも手前で誤挿入防止突起が係止部に係止される。このため、インナハウジングの誤挿入を外観で検知することができ、インナハウジングの誤挿入を防止することができる。
【００１２】
さらに、請求項１に記載された発明によれば、ジョイントコネクタは、第二インナハウジングが誤挿入された場合に、第二インナハウジングが適正挿入された際の位置よりも手間でインナハウジングの進入が停止するため、開口部から当該インナハウジングの先端部を確認できない。このため、インナハウジングの挿入を開口部から検知することができるようになり、インナハウジングの誤挿入を確実に防止することができる。
【００１３】
請求項２に記載された発明によれば、ジョイントコネクタは、第二インナハウジングが当該第二インナハウジングの中心点に対して点対称形状に形成されているため、第二インナハウジングが適正挿入される際の挿入方向に対して当該第二インナハウジングの前後を適合させるだけで、インナハウジングを適正にアウタハウジング内に取り付けることができる。このため、インナハウジングの誤挿入をより一層に確実に防止することができる。
【図面の簡単な説明】
【００１４】
【図１】本発明の一実施形態にかかるジョイントコネクタの斜視図である。
【図２】図１に示されたジョイントコネクタのＩＩ−ＩＩ矢視断面図である。
【図３】図１に示されたジョイントコネクタの分解断面図である。
【図４】図１に示されたジョイントコネクタの第二インナハウジングの正面図である。
【図５】図４に示された第二インナハウジングの側面図である。
【図６】図１に示されたジョイントコネクタの組み立てを説明する斜視図である。
【図７】インナハウジングとアウタハウジングとが適正挿入された状態を示す断面図である。
【図８】インナハウジングとアウタハウジングとが誤挿入された状態を示す断面図である。
【図９】図１に示されたジョイントコネクタと汎用コネクタとが連結される状態を説明する斜視図である。
【図１０】本発明にかかるジョイントコネクタの変形例を示す斜視図である。
【発明を実施するための形態】
【００１５】
以下、本発明の実施形態について、図１〜図１０を参照して説明する。
本発明の一実施形態にかかるジョイントコネクタ１は、自動車に搭載された各種電装品をＣＡＮ（Ｃｏｎｔｒｏｌ  Ａｒｅａ  Ｎｅｔｗｏｒｋ）通信によって制御するワイヤハーネスに使用される。ジョイントコネクタ１は、図１および図２に示すように、サブハーネス６１（図９に示す）の汎用コネクタ６２の端子に電気的に接続する端子金具３と、当該端子金具３を収容し且つ前記汎用コネクタ６２と嵌合するコネクタハウジング２と、信号に重畳されるノイズを除去するフェライトコア１０（図２に示す）を備えている。
【００１６】
端子金具３は、図２および図３に示すように、導電性の板金から構成され、櫛形状に形成されている。端子金具３は、薄板状に形成されたバスバ２８と、前記バスバ２８から当該バスバ２８に直交する方向に延長された複数本（図示例では１１本）の針状端子部２９と、を備えている。端子金具３は、プレス加工等によって成形されている。端子金具３は、図４に示すように、当該端子金具３の厚さ方向に複数枚（図示例では２枚）の端子金具３ａ，３ｂとされており、当該端子金具３ａ，３ｂ同士が平行して配されている。
【００１７】
バスバ２８は、当該バスバの長手方向に沿って複数個（図示例では１０個）の孔３１が等間隔で設けられている。バスバ２８には、当該バスバ２８の長手方向の両端部に、後述する第一インナハウジング６のバスバ収容室１２の内壁に係合する係合突起３２，３２が設けられている。係合突起３２，３２は、前記針状端子部２９側に向かって突出量が徐々に増加して形成されている。
【００１８】
針状端子部２９は、図２および図３に示すように、前記バスバ２８の長手方向に等間隔を空けて設けられていると共に、互いに平行に設けられている。針状端子部２９は、前述した汎用コネクタの雌型端子に嵌入しやすいように、先端部２９ｃが先細形状に形成されている。針状端子部２９は、図１および図２に示すように、前述した汎用コネクタ６２がコネクタハウジング５の嵌合部９に嵌合した際に、当該針状端子部２９が、当該汎用コネクタ６２の端子と電気的に接続する長さに形成されている。針状端子部２９同士の間隔は、前記汎用コネクタ６２の端子間隔に形成されている。
【００１９】
フェライトコア１０は、図２〜図４に示すように、第一フェライトコア１０ａと第二フェライトコア１０ｂとを備えており、直方体形状に形成され、２枚の前記端子金具３ａ，３ｂのそれぞれの針状端子部２９が貫通する複数（図示例では、２つ）の貫通孔１１が設けられている。第一フェライトコア１０ａと第二フェライトコア１０ｂとは、高周波ノイズを除去する所謂フェライトコアとされている。第一フェライトコア１０ａと第二フェライトコア１０ｂとは、公知の金属酸化物の強磁性体から構成され、公知の製法によって製造されている。
【００２０】
なお、本発明でいう、第一フェライトコア１０ａと第二フェライトコア１０ｂとは、後述する第一インナハウジング６の第一フェライト収容室２１に収容されるフェライトコアを第一フェライトコア１０ａといい、第二インナハウジング７の第二フェライト収容室３６に収容されるフェライトコアを第二フェライトコア１０ｂという。即ち、第一フェライトコア１０ａと第二フェライトコア１０ｂとは、同一品のフェライトコアが使用される。
【００２１】
コネクタハウジング２は、図２に示すように、前述した端子金具３を保持すると共に当該端子金具３をコネクタハウジング２内に固定するインナハウジング５と、前記インナハウジング５を収容するアウタハウジング４と、を備えている。コネクタハウジング２は、ポリ塩化ビニル樹脂などの絶縁性の合成樹脂により形成されている。
【００２２】
インナハウジング５は、図２および図３に示すように、前記端子金具３のバスバ２８を収容するバスバ収容室１２が形成された第一インナハウジング６と、前記第一インナハウジング６に並設される第二インナハウジング７と、を備えている。
【００２３】
第一インナハウジング６は、図３に示すように、バスバ収容室１２に連通し且つ前記端子金具３の針状端子部２９の基端部２９ａ側に設けられる第一フェライトコア１０ａを収容する複数（図示例では６つ）の第一フェライト収容室２１を備えている。第一インナハウジング６は、長手方向の両端部に、後述するアウタハウジング４のインナハウジング収容室３８に形成された係合爪１４，１４に係合する係合突起４０，４０が設けられている。
【００２４】
バスバ収容室１２は、図２、図３および図６に示すように、前記端子金具３のバスバ２８の前記係合突起３２，３２が係合する幅と、前記２枚の端子金具３ａ，３ｂが平行して収容される奥行きとに形成されている。
【００２５】
第一フェライト収容室２１は、図２および図３に示すように、前記端子金具３の前記バスバ２８の長手方向に平行に複数（図示例では、６つ）設けられていると共に当該長手方向に等間隔で設けられている。第一フェライト収容室２１同士の間には、前記端子金具３の前記針状端子部２９が貫通する貫通孔３７が複数（図示例では５つ）設けられている。第一フェライト収容室２１は、図４に示すように、２枚の前記端子金具３ａ，３ｂのそれぞれの針状端子部２９の各一本が貫通し且つ後述する第一フェライトコア１０ａを収容する長方形状に形成されている。第一フェライト収容室２１は、図示例では、前記端子金具３の一端から奇数番目の針状端子部２９が貫通される。
【００２６】
第二インナハウジング７は、図２〜図６に示すように、前記アウタハウジング４内に挿入される挿入方向Ｘに平行する前記インナハウジング７の中心点Ａに対して点対称となる直方体形状に形成されている。第二インナハウジング７は、前記第一インナハウジング６の第一フェライト収容室２１に収容された第一フェライトコア１０ａに当接して当該第一フェライトコア１０ａのガタツキを防止する複数個（図示例では、６つ）の突出部２３と、前記突出部２３に連通し且つ前記端子金具３の前記針状端子部２９が貫通する複数（図示例では、６つ）の貫通孔２４と、前記貫通孔２４同士の間に設けられ且つ前記端子金具３の前記針状端子部２９が貫通すると共に当該針状端子部２９の中間部２９ｂ側に設けられる第二フェライトコア１０ｂを収容する第二フェライト収容室３６と、を備えている。
【００２７】
第二インナハウジング７の長手方向の両端部には、図４〜図６に示すように、前記アウタハウジング４のインナハウジング収容室の内壁に係合する膨出部２６と、後述する係止部３４に係止され且つ第二インナハウジング７の誤挿入を防止する誤挿入防止突起２２と、が設けられている。
【００２８】
突出部２３は、図２および図３に示すように、前記第一ハウジング７の第一フェライト収容室２１に収容された第一フェライトコア１０ａに当接する突出量で形成されている。突出部２３は、前記２枚の端子金具３ａ，３ｂのそれぞれの針状端子部２９の各一本が貫通する貫通孔２４の一端に設けられている。
【００２９】
貫通孔２４は、円形に形成されると共に前記端子金具３の前記針状端子部２９が貫通される直径に形成されている。貫通孔２４は、前記２枚の端子金具３ａ，３ｂのそれぞれの針状端子部２９の各一本が貫通するように、２つ並んで設けられている。
【００３０】
第二フェライト収容室３６は、図２および図３に示すように、前記端子金具３の前記バスバ２８の長手方向に平行に複数（図示例では、５つ）設けられていると共に当該長手方向に等間隔で設けられている。それぞれの第二フェライト収容室３６の両側面には、前述した貫通孔２４が設けられている。第二フェライト収容室３６は、図４に示すように、２枚の前記端子金具３ａ，３ｂのそれぞれの針状端子部２９の各一本が貫通し且つ後述する第二フェライトコア１０ｂを収容する長方形状に形成されている。第二フェライト収容室３６は、図示例では、前記端子金具３の一端から偶数番目の針状端子部２９が貫通される。
【００３１】
誤挿入防止突起２２は、図４および図５に示すように、前記第二インナハウジング７の両側面から突出した四角柱状に形成されている。誤挿入防止突起２２は、前記第二インナハウジング７の長手方向に平行すると共に前述した中心点Ａを通る中心線Ｂ上に設けられている。誤挿入防止突起２２は、前述した挿入方向Ｘに直交すると共に前記第二インナハウジング７の厚さ方向の中心を通る中心線Ｃよりも、当該誤挿入防止突起２２の中心線Ｄが前記挿入方向Ｘの後方側に設けられている。即ち、誤挿入防止突起２２は、中心線Ａ上かつ中心線Ｃよりも後方に設けられている。
【００３２】
アウタハウジング４は、図２および図３に示すように、前述した汎用コネクタと嵌合する嵌合部９と、前述した第一インナハウジング６と第二インナハウジング７とを収容するインナハウジング収容室３８と、前記第二インナハウジング７が適正挿入された際に当該第二インナハウジング７の先端部に連通する開口部（図７に示す）３５と、を備えている。
【００３３】
嵌合部９は、図３に示すように、断面長方形状の筒状に形成されており、内周面に、前述した汎用コネクタを嵌合する際の取付方向を規定するガイド部１５，１５が形成されている。嵌合部９には、前記汎用コネクタに設けられた図示しない係合手段と係合する係合部が設けられている。
【００３４】
インナハウジング収容室３８は、図３に示すように、前記第一インナハウジング６の両端部に形成された係合突起４０，４０と係合する係合爪１４，１４と、前記第二インナハウジング７の両端部に形成された膨出部２６，２６が押圧する内壁面１３，１３と、前記第二インナハウジング７の両端部に形成された誤挿入防止突起２２，２２と係止する係止部３４と、前記第二インナハウジング７に当接する押え部１６と、を備えている。
【００３５】
係合爪１４，１４は、図２および図３に示すように、アウタハウジング４の両側面に設けられていると共に、前記係合突起４０，４０の傾斜面に沿って突出量が徐々に増加して形成されている。係合爪１４，１４は、図４に示すように、スリット５１が設けられており、当該係合爪１４，１４が揺動可能に形成されている。
【００３６】
内壁面１３，１３は、当該内壁面１３，１３同士の間隔が前記第二インナハウジング７の幅よりも僅かに幅広に形成され、且つ、当該第二インナハウジング７の前記膨出部２６，２６が前記内壁面１３，１３を押圧する幅に形成されている。
【００３７】
係止部３４は、図７に示すように、前記内壁面１３，１３の中央部を膨出して設けられている。係止部３４には、前述した第二インナハウジング７が前記インナハウジング収容室３８内に適正挿入されて収容された位置で、前記誤挿入防止突起２２に係止する凹部３４ａが設けられている。
【００３８】
押え部１６は、図３に示すように、前記第二インナハウジング７の第二フェライト収容室３６に収容された第二フェライトコア１０ｂのガタツキを防止する複数（図示例では、５つ）の突出部１７と、前記突出部１７の両側面に設けられ且つ前記端子金具３の針状端子部２９が貫通する複数（図示例では、６つ）の貫通孔１９と、を備えている。
【００３９】
突出部１７は、前記第二フェライト収容室３６に収容された前記第二フェライトコア１０ｂに当接する突出量で形成されている。突出部１７には、前記端子金具３の一端から偶数番目の針状端子部２９が貫通する貫通孔１８が設けられている。貫通孔１８は、前記針状端子部２９が貫通する直径の円形に形成されている。
【００４０】
押え部１６の貫通孔１９は、前記端子金具３の一端から奇数番目の針状端子部２９が貫通すると共に当該針状端子部２９が貫通する直径の円形に形成されている。
【００４１】
開口部３５は、図６および図７に示すように、前記インナハウジング収容室３８内に連通すると共に、前述した第二インナハウジング７が適正挿入された際に当該第二インナハウジング７の先端部に連通する開孔として設けられている。
【００４２】
上述の如く構成されたジョイントコネクタ１の組み立てについて、以下に説明する。
ジョイントコネクタ１を構成するアウタハウジング４と、第一インナハウジング６と、第二インナハウジング７と、端子金具３ａ，３ｂと、第一フェライトコア１０ａと、第二フェライトコア１０ｂとは、予めそれぞれ製造される。
【００４３】
図６に示すように、第一インナハウジング６内に端子金具３ａ，３ｂを嵌合して固定し、前記第一インナハウジング６の複数の第一フェライト収容室２１に複数個の第一フェライトコア１０ａを収容する。このとき、前記端子金具３ａ，３ｂの一端から奇数番目のそれぞれの針状端子部２９が前記第一フェライトコア１０ａを貫通する。
【００４４】
続いて、第二インナハウジング７の複数の突出部２３の貫通孔２４に前記端子金具３ａ，３ｂの一端から奇数番目のそれぞれの針状端子部２９を貫通させると共に、当該第二インナハウジング７の複数の第二フェライト収容室３６の貫通孔２５に当該端子金具３ａ，３ｂの一端から偶数番目のそれぞれの針状端子部２９を貫通させ、前記第一インナハウジング６上に当該第二インナハウジング７を配する。このとき、第一フェライトコア１０ａと第二フェライトコア１０ｂとが前記針状端子部２９の長手方向に間隔を空けて二段に配され、且つ、奇数番目の針状端子部２９が第一フェライトコア１０ａを貫通すると共に偶数番目の針状端子部２９が第二フェライトコア１０ｂを貫通する。このため、同一平面上に複数個のフェライトコアを並設した場合よりも、針状端子部２９同士の間隔を縮めることができる。
【００４５】
続いて、前記第二インナハウジング７の複数の第二フェライト収容室３６に複数個の第二フェライトコア１０ｂを収容する。このとき、前記端子金具３ａ，３ｂの一端から偶数番目のそれぞれの針状端子部２９が前記第二フェライトコア１０ｂを貫通する。このとき、第一フェライトコア１０ａは、前記第一インナハウジング６の第一フェライト収容室２１に収容され、前記端子金具３ａ，３ｂの一端から奇数番目のそれぞれの針状端子部２９が貫通されると共に、第二フェライトコア１０ｂは、前記第二インナハウジング７の第二フェライト収容室３６に収容され、前記端子金具３ａ，３ｂの一端から偶数番目のそれぞれの針状端子部２９が貫通される。
【００４６】
続いて、図７に示すように、前記第一インナハウジング６と前記第二インナハウジング７とをアウタハウジング４のインナハウジング収容室３８内に押し込んで当該インナハウジング収容室３８内に固定する。このとき、前記第一インナハウジング６の係合突起４０，４０が前記インナハウジング収容室３８の係合爪１４，１４と係合し、前記第二インナハウジング７の膨出部２６，２６が当該インナハウジング収容室３８の内壁面１３を押圧し、前記第二インナハウジングの誤挿入防止突起２２が前記インナハウジング収容室３８の係止部３４の凹部３４ａに係止され、前記アウタハウジング４の開口部３５に前記第二インナハウジング７の先端部が連通されて、前記第一インナハウジング６と前記第二インナハウジング７とがアウタハウジング４内に確実に固定される。
【００４７】
上述の如く組み立てられたジョイントコネクタ１は、図５に示すように、複数本（図示例では、２２本）の電線６３と当該電線６３の端末に設けられた汎用コネクタ６２（雄型コネクタ）とを備えたサブハーネス６１に接続される。このとき、汎用コネクタ６２の端子間隔と本発明のジョイントコネクタ１の端子金具３の端子間隔とは同じ間隔とされているため、汎用コネクタ６２がジョイントコネクタ１の嵌合部９に嵌合され、両コネクタの端子が電気的に接続される。
【００４８】
上述の如く組み立てられるジョイントコネクタ１を誤組み立てした場合について、以下に説明する。前記挿入方向Ｘに対して第二インナハウジング７の前後が反転した状態で、当該第二インナハウジング７をアウタハウジング４のインナハウジング収容室３８内に挿入すると、図８に示すように、前記第二インナハウジング７の誤挿入防止突起２２が前記インナハウジング収容室３８内の係止部３４に係止され、当該第二インナハウジング７の挿入が規制されて、第一インナハウジング６がアウタハウジング４から突出した状態となる。
【００４９】
このため、第二インナハウジング７がアウタハウジング４に誤挿入されたことが外観上で検知できる。また、アウタハウジング４の開口部３５から第二インナハウジング７の先端部が視認されないことからも、当該第二インナハウジング７がアウタハウジング４に誤挿入されたことが検知できる。
【００５０】
前述した実施形態では、ジョイントコネクタ１は、端子金具３ａ，３ｂのそれぞれの針状端子部２９を１１本の２２極としているが、図６に示すように、端子金具３ａ，３ｂのそれぞれの針状端子部２９を１９本の３８極としても良い。また、２２極よりも少ない極数としても良い。このような極数の増減に拘わらず、本発明のジョイントコネクタ１は、フェライトコア１０の寸法は変更されないため、端子金具３の針状端子部２９同士の間隔を変更することなく汎用コネクタ６２と接続することができる。従って、ジョイントコネクタ１の極数は、汎用コネクタ６２に合わせて変更することができる。
【００５１】
また、前述した実施形態では、インナハウジング５は、第一インナハウジング６と第二インナハウジング７とからなる二部品構成としているが、一部品構成やその他の構成であっても、インナハウジング５に前述した誤挿入防止突起２２を設け、且つ、アウタハウジング４に前記誤挿入防止突起２２に係止する係止部３４を設けた構成であれば良い。
【００５２】
本実施形態によれば、ジョイントコネクタ１は、端子金具３と、前記端子金具３を保持するインナハウジング５と、前記インナハウジング５を収容するアウタハウジング４と、を備え、前記インナハウジング５には、当該インナハウジング５が前記アウタハウジング４内に収容される際の挿入方向Ｘに対して後方側に、誤挿入防止突起２２が設けられ、かつ、前記アウタハウジング４には、前記インナハウジング５が当該アウタハウジング４内に適正挿入されて収容された位置で、前記誤挿入防止突起２２に係止する係止部３４が設けられている。
【００５３】
また、前記アウタハウジング４には、前記インナハウジング５が当該アウタハウジング４内に適正挿入された際に当該インナハウジング５の先端部に連通する開口部３５が設けられている。
【００５４】
さらに、前記インナハウジング５は、前記アウタハウジング４内に収容される際の挿入方向Ｘに平行する当該インナハウジング５の中心点Ａに対して、点対称形状に形成されている。
【００５５】
このため、ジョイントコネクタ１は、アウタハウジング４の係止部３４に係止される誤挿入防止突起２２をインナハウジング５の後方側に設けたため、インナハウジング５の前後が反対となった場合に、前記インナハウジング５を適正挿入した際の位置よりも手前で誤挿入防止突起２２が係止部３４に係止される。このため、インナハウジング５の誤挿入を外観で検知することができ、インナハウジング５の誤挿入を防止することができる。
【００５６】
また、ジョイントコネクタ１は、インナハウジング５が誤挿入された場合に、前記インナハウジング５が適正挿入された際の位置よりも手間で当該インナハウジング５の挿入を停止するため、開口部３５から当該インナハウジング５の先端部を確認できない。このため、インナハウジング５の誤挿入を開口部３５から検知することができるようになり、インナハウジング５の誤挿入を確実に防止することができる。
【００５７】
さらに、ジョイントコネクタ１は、インナハウジング５が当該インナハウジング５の中心点Ａに対して点対称形状に形成されているため、インナハウジング５が適正挿入される際の挿入方向Ｘに対して当該インナハウジング５の前後を適合させるだけで、当該インナハウジング５を適正にアウタハウジング４内に取り付けることができる。このため、インナハウジング５の誤挿入をより一層に確実に防止することができる。
【００５８】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５９】
１  ジョイントコネクタ
２  コネクタハウジング
３  端子金具
４  アウタハウジング
５  インナハウジング
６  第一インナハウジング
７  第二インナハウジング
１０  フェライトコア
２２  誤挿入防止突起
３４  係止部
３４ａ  凹部
３５  開口部
３８  インナハウジング収容室
６１  サブハーネス
６２  汎用コネクタ
６３  電線
【図１】
0005718137.tif 000002
【図２】
0005718137.tif 000003
【図３】
0005718137.tif 000004
【図４】
0005718137.tif 000005
【図５】
0005718137.tif 000006
【図６】
0005718137.tif 000007
【図７】
0005718137.tif 000008
【図８】
0005718137.tif 000009
【図９】
0005718137.tif 000010
【図１０】
0005718137.tif 000011